(57)【要約】【課題】映像及び／または音声が記録されている記録媒体を再生するに際して、ユーザーが任意に設定した文字情報等を、当該記録媒体の再生に同期して再現させることができる情報再生システムにおける付加情報の同期再生制御装置を提供する。【解決手段】主情報が記録されている記録媒体１を再生する信号読出部２が設けられる。主情報に対応する付加情報が、記録媒体１とは別の記憶部１７に記録される。システムコントローラ１４、システム制御部１６、バックエンドプロセッサ１０及び表示制御部１８で同期制御部が構成される。付加情報を入力する情報入力部１５における各種操作指令キーと記録媒体１の再生動作指令を与えるための操作指令キーが操作パネルに配設される。記録媒体１を再生中に記憶部１７の付加データが取り出されてディスプレイに重畳表示される。【選択図】　　　　図１
2004079136.tif 000002
【特許請求の範囲】
【請求項１】
映像及び／または音声データでなる主情報が記録されている第１記録済媒体を再生する第１再生手段と、
前記主情報に対応する付加情報が、前記第１記録済媒体とは別の記録媒体に記録されている第２記録済媒体を再生する第２再生手段と、
前記第１記録済媒体を前記第１再生手段で再生して得られた再生信号に同期して、前記第２再生手段による前記第２記録済媒体の再生を制御する同期再生制御手段とを具備することを特徴とする情報再生システムにおける付加情報の同期再生制御装置。
【請求項２】
前記付加情報は、前記第１記録済媒体を前記第１再生手段で再生して得られる映像及び／または音声に対応する歌詞、字幕等の文字情報であることを特徴とする請求項１に記載の情報再生システムにおける付加情報の同期再生制御装置。
【請求項３】
前記文字情報は、任意の文字列を入力して前記第２記録済媒体に記録し得るように構成することを特徴とする請求項２に記載の情報再生システムにおける付加情報の同期再生制御装置。
【請求項４】
前記文字情報は、前記同期再生装置とは別に設けられた入力機器から任意の文字列を入力して前記第２記録済媒体に記録し得るように構成することを特徴とする請求項２に記載の情報再生システムにおける付加情報の同期再生制御装置。
【請求項５】
前記第２記録済媒体に記録されている文字情報は、当該文字情報の表示位置を指定する指定データを含んで記録し得るように構成することを特徴とする請求項２に記載の情報再生システムにおける付加情報の同期再生制御装置。
【請求項６】
前記第２記録済媒体を前記第２再生手段で再生したときに得られる文字情報の表示位置を任意に指定する手段を前記同期再生制御手段に含めて構成することを特徴とする請求項２に記載の情報再生システムにおける付加情報の同期再生制御装置。
【請求項７】
前記付加情報は、前記第１記録済媒体を前記第１再生手段で再生して得られる映像及び／または音声に対応する複数種の文字情報が前記第２記録済媒体に記録され、該第２記録済媒体を前記第２再生手段で再生するときに該複数種の文字情報の中から任意のものを選択して再生し得るように構成することを特徴とする請求項２に記載の情報再生システムにおける付加情報の同期再生制御装置。
【請求項８】
前記第２記録済媒体を前記第２再生手段で再生したときに得られる文字情報の表示をスクロール表示する手段を前記同期再生制御手段に含めて構成することを特徴とする請求項２に記載の情報再生システムにおける付加情報の同期再生制御装置。
【請求項９】
前記第２記録済媒体を前記第２再生手段で再生したときに得られる文字情報の表示をフェードイン表示またはフェードアウト表示する手段を前記同期再生制御手段に含めて構成することを特徴とする請求項２に記載の情報再生システムにおける付加情報の同期再生制御装置。
【請求項１０】
前記付加情報は、前記第１記録済媒体を前記第１再生手段で再生して得られる映像及び／または音声に対応する音声情報であることを特徴とする請求項１に記載の情報再生システムにおける付加情報の同期再生制御装置。
【発明の詳細な説明】
【０００１】
【発明の属する技術分野】
本発明は、映像及び／または音声の情報再生システムにおける付加情報の同期再生制御装置に関する。
【０００２】
【従来の技術】
近年、ＭＰＥＧ規格に基づいて符号化された映像や音声データ等を再生する情報再生システムが一般的になってきている。例えば、ＭＰＥＧ−１規格を満足するデータストリームの記録されたデジタル・ストレージ・メディアの情報再生装置としてビデオＣＤプレーヤ等があり、ＭＰＥＧ−２規格を満足するデータストリームの記録されたデジタル・ストレージ・メディアの情報再生装置としてＤＶＤビデオプレーヤ等がある。
【０００３】
それらのデジタル・ストレージ・メディアには、例えばＤＶＤでは、ＭＰＥＧ−２規格のＰＳ（プログラムストリーム）方式でデータが記録されており、これは符号化された映像データや音声データ、その他の付加情報データ等の個々のデータストリームを多重化して形成されている。
【０００４】
デジタル・ストレージ・メディアに記録されているプログラムリスト形式のデータは、対応の情報再生装置によってＤＥＭＵＸ（デ・マルチプレクス）され、映像データと音声データとその他の付加データに分けられた後、パケットヘッダ（ＭＰＥＧ−１規格の場合）あるいはＰＥＳパケットヘッダ（ＭＰＥＧ−２規格の場合）内に、復号、再生の単位毎に設けられるアクセスユニットに記述されているＤＴＳ（デコド・タイム・スタンプ）の時刻と、ＰＴＳ（プレゼンテーション・タイム・スタンプ）の時刻に復号されて再生される。
【０００５】
前述のパケットヘッダあるいはＰＥＳパケットヘッダ内のＤＴＳとＰＴＳによって復号・再生時刻が制御されることで、結果として映像、音声、その他の付加情報の同期が取られることにより映像・音声データに、歌詞、字幕等の付加情報データを同期させた再生を行うことができる。
【０００６】
【発明が解決しようとする課題】
従来の情報再生システムにおける付加情報の同期再生制御装置は、ＭＰＥＧ−１規格におけるパケット多重方式（個々のデータストリームをパケットと呼ばれる単位に分割し複数のパケットを順次に繋ぎ合わせることで多重化を実現する方式）、あるいはＭＰＥＧ−２におけるプログラムストリーム方式（パケット多重方式と略同様）によってマルチプレクスされデジタル・ストレージ・メディアに記録されている付加情報の再生は可能であるが、当該の付加情報データがマルチプレクサされていないデジタル・ストレージ・メディアに記録されているデータの再生においては、歌詞、字幕等のデータを表示させることができないという問題がある。
【０００７】
また、レコード会社等のメディア制作者等が提供するものとは異なるユーザー任意の付加情報データを、映像再生中のユーザー任意の場所に表示させることができないという問題がある。
【０００８】
そこで、本発明の目的は、映像及び／または音声が記録されている記録媒体を再生するに際して、ユーザーが任意に設定した文字情報等を、当該記録媒体の再生に同期して再現させることができる情報再生システムにおける付加情報の同期再生制御装置を提供することにある。
【０００９】
【課題を解決するための手段】
前記課題を解決するために、本発明による情報再生システムにおける付加情報の同期再生制御装置は、次に記載するような特徴的な構成を採用している。
【００１０】
（１）映像及び／または音声データでなる主情報が記録されている第１記録済媒体を再生する第１再生手段と、
前記主情報に対応する付加情報が、前記第１記録済媒体とは別の記録媒体に記録されている第２記録済媒体を再生する第２再生手段と、
前記第１記録済媒体を前記第１再生手段で再生して得られた再生信号に同期して、前記第２再生手段による前記第２記録済媒体の再生を制御する同期再生制御手段とを具備する情報再生システムにおける付加情報の同期再生制御装置。
【００１１】
（２）前記付加情報は、前記第１記録済媒体を前記第１再生手段で再生して得られる映像及び／または音声に対応する歌詞、字幕等の文字情報である上記（１）の情報再生システムにおける付加情報の同期再生制御装置。
【００１２】
（３）前記文字情報は、任意の文字列を入力して前記第２記録済媒体に記録し得るように構成する上記（２）の情報再生システムにおける付加情報の同期再生制御装置。
【００１３】
（４）前記文字情報は、前記同期再生装置とは別に設けられた入力機器から任意の文字列を入力して前記第２記録済媒体に記録し得るように構成する上記（２）の情報再生システムにおける付加情報の同期再生制御装置。
【００１４】
（５）前記第２記録済媒体に記録されている文字情報は、当該文字情報の表示位置を指定する指定データを含んで記録し得るように構成する上記（２）の情報再生システムにおける付加情報の同期再生制御装置。
【００１５】
（６）前記第２記録済媒体を前記第２再生手段で再生したときに得られる文字情報の表示位置を任意に指定する手段を前記同期再生制御手段に含めて構成する上記（２）の情報再生システムにおける付加情報の同期再生制御装置。
【００１６】
（７）前記付加情報は、前記第１記録済媒体を前記第１再生手段で再生して得られる映像及び／または音声に対応する複数種の文字情報が前記第２記録済媒体に記録され、該第２記録済媒体を前記第２再生手段で再生するときに該複数種の文字情報の中から任意のものを選択して再生し得るように構成する上記（１）の情報再生システムにおける付加情報の同期再生制御装置。
【００１７】
（８）前記第２記録済媒体を前記第２再生手段で再生したときに得られる文字情報の表示をスクロール表示する手段を前記同期再生制御手段に含めて構成する上記（２）の情報再生システムにおける付加情報の同期再生制御装置。
【００１８】
（９）前記第２記録済媒体を前記第２再生手段で再生したときに得られる文字情報の表示をフェードイン表示またはフェードアウト表示する手段を前記同期再生制御手段に含めて構成する上記（２）の情報再生システムにおける付加情報の同期再生制御装置。
【００１９】
（１０）前記付加情報は、前記第１記録済媒体を前記第１再生手段で再生して得られる映像及び／または音声に対応する音声情報である上記（１）の情報再生システムにおける付加情報の同期再生制御装置。
【００２０】
【発明の実施の形態】
以下、本発明の一実施の形態による情報再生システムにおける付加情報の同期再生制御装置を図面を用いて詳細に説明する。本形態は、ＭＰＥＧ−２規格のＰＳ方式でデータ記録されているデジタル・ストレージ・メディアとその情報再生システムに本発明を適用した例である。
【００２１】
先ず、図１を用いて構成を説明すると、記録媒体１（デジタル・ストレージ・メディア）に記録済みのデータを読み取るための信号読出部２が設けられ、その出力はＭＰＥＧ−２規格のＰＳ信号としてＤＥＭＵＸ部３に供給される。
【００２２】
ＤＥＭＵＸ部３は、ＰＳ信号を自身に含まれるストリームＩＤに基づいて映像データ、音声データ、サブピクチャデータ等々のデータストリームに復調するもので、当該ＤＥＭＵＸ部３で得られた映像データ、音声データ、サブピクチャデータのそれぞれがビデオバッファ４、オーディオバッファ５、サブピクチャバッファ６を介してビデオデコーダ７、オーディオデコーダ８、サブピクチャデコーダ９のそれぞれで復調されてバックエンドプロセッサ１０に入力される。
【００２３】
バックエンドプロセッサ１０は、ビデオデコーダ７とサブピクチャデコーダ９の両出力データを合成した映像データをビデオＤＡＣ１１に送出すると共に、オーディオデコーダ８の出力をオーディオＤＡＣ１２に送出するように構成される。
【００２４】
システムコントローラ１４が設けられ、ＤＥＭＵＸ部３から出力されるＰＴＳデータ、ＤＴＳデータ、ＳＣＲデータと、ＳＴＣ１３の基準時間クロック信号とに基づいてビデオデコーダ７とオーディオデコーダ８とサブピクチャデコーダ９とを適正に制御すると共に、システム制御部１６との間で相互制御するように構成される。
【００２５】
システム制御部１６は、情報入力部１５によって行われる付加情報を取り込むと共に、不揮発性の半導体メモリで構成される記憶部１７との間でデータの読み書きを制御するように構成される。
【００２６】
システム制御部１６は、表示制御部１８を介してバックエンドプロセッサ１０を制御し、主としてオンスクリーンディスプレイ（ＯＳＤ）表示を適正に制御するように構成される。
【００２７】
従って、映像及び／または音声データでなる主情報が記録されている第１記録済媒体（記録媒体１）を再生する第１再生手段が主として信号読出部２によって構成され、当該の主情報に対応する付加情報が、記録媒体１とは別の記録媒体に記録されている第２記録済媒体（記憶部１７）を再生する第２再生手段が、システムコントローラ１４、システム制御部１６、バックエンドプロセッサ１０及び表示制御部１８で構成される。
【００２８】
また、記録媒体１を信号読出部２を用いて再生して得られた再生信号に同期して、第２記録済媒体（記憶部１７）の再生を制御する同期再生制御手段がシステムコントローラ１４、システム制御部１６、バックエンドプロセッサ１０及び表示制御部１８で構成される。
【００２９】
付加情報を入力する情報入力部１５における各種操作指令キーと記録媒体１の再生動作指令を与えるための操作指令キーは、図２に示すような操作パネル２０に配設されている。
【００３０】
操作パネル２０の左上位置に配置されたパワーキー２１の下位には、電源のオン／オフ状態を発光／非発光の状態で発光表示するパワー表示２２が配設され、操作パネル２０の中央上部に蛍光表示部２３が配設され、蛍光表示部２３にディスク番号、トラック番号、再生時間を初めとする種々の文字表示が行なうことができる。
【００３１】
蛍光表示部２３の下位にはディスク（記録媒体１）のロード／アンロードを行うためのトレイ部２４が位置され、その下位には、ディスク再生状態を動作指令するための再生キー２５、停止キー２６、早送りキー２７及び巻戻しキー２８が配設され、操作パネル２０の左下位置にディスク排出を行うための排出キー２９が配設されている。
【００３２】
操作パネル２０の右側位置には情報入力部２０ａを構成する複数のキーが配置され、下部中央に十字状の位置キー３１が配置され上下左右の４方向への選択動作指令が行えるようになっている。位置キー３１の左部に修正キー３２が配置され、右部に確定キー３３が配置され、上部に情報入力キー３４と入力終了キー３５が配置されている。なお、符号３０は、ロータリーエンコーダであり、付加情報の入力文字を選択するための操作キーの一種である。
【００３３】
従って、記録媒体１に記録済みのデータを信号読出部２を用いて読み出されたＰＳデータ、即ち、図３の全体を示すアクセスユニット部１９は符号１９ａで表わすように複数で構成され、各アクセスユニットは、符号１９ｂで表わすｎ個のパックで構成され、各パックは符号１９ｃで表わすパックヘッダ、システムヘッダ、複数のＰＥＳパケットで構成され、各ＰＥＳパケットは、符号１９ｄで表わすＰＥＳパケットヘッダ、エレメンタリーストリームで構成されている。
【００３４】
読み出されたＰＳデータは、その後、ＤＥＭＵＸ部３ではＰＥＳパケットヘッダに記録されているストリームＩＤに基づいて、映像データ、音声データ、サブピクチャデータ等々のデータストリームにＤＥＭＵＸされ、その際に、映像データ、音声データ、サブピクチャデータ等々の復号と再生時刻を管理するシステムコントローラ１４は、ＰＥＳパケットヘッダに記録されているＰＴＳ（Ｐｒｅｓｅｎｔａｔｉｏｎ　Ｔｉｍｅ　Ｓｔａｍｐ）データとＤＴＳ（Ｄｅｃｏｄｅ　Ｔｉｍｅ　Ｓｔａｍｐ）データを読み出し、その情報に基づいて映像、音声、その他の付加情報データの同期再生を行う。
【００３５】
システムコントローラ１４は、予めユーザーにより作成された付加情報データの再生時刻に対応するようなＰＴＳデータとＤＴＳデータが読み出された場合には、オンスクリーンディスプレイ等の表示を制御する表示制御部１８に対してユーザー作成の付加情報データの記録された記憶部１７から対応データを読み出し、オンスクリーンディスプレイのための重畳表示処理を行うバックエンドプロセッサ１０を制御して重畳表示の状態でディスプレイ上にユーザー作成の任意の付加情報を表示するような指令を出す。指令を出された表示制御部１８は、重畳表示の処理を行うバックエンドプロセッサ１０を制御し、ユーザー作成の任意の付加情報データを重畳処理したデータとしてビデオＤＡＣ１１に出力させる。
【００３６】
このような動作によって記録媒体１に予め記録されている映像データと音声データと同期を取りながら、ユーザー作成の任意の付加情報データをディスプレイ上に再生させることが可能となる。
【００３７】
図１に示す記憶部１７は、不揮発性メモリで構成され、その記憶領域は、図４の全体を示す符号３６のように、ディスク情報記録領域３６ａ、付加情報管理情報記憶領域３６ｂ、付加情報記録領域３６ｃで構成され、そのディスク情報記録領域３６ａは、図５に示すディスク情報記録領域３７のように、第１ディスク情報記録領域３７−１、第２ディスク情報記録領域３７−２・・・第ｎディスク情報記録領域３７−ｎというｎ個の記録領域で構成されている。
【００３８】
また、各領域のそれぞれは、第１ディスク情報記録領域３７−１を例にすれば付加情報管理情報記録領域３８のように第１ディスク付加情報３８−１、第２ディスク付加情報３８−２・・・第Ｎディスク付加情報３８−ＮのようにＮ個の情報で構成され、各情報のそれぞれは、第１ディスク付加情報３８−１を例にすれば、表示開始ＰＴＳ、表示終了ＰＴＳ、不揮発性メモリ上の付加情報記憶開始アドレス、不揮発性メモリ上の付加情報記憶終了アドレスが格納され、当該ディスクの次の管理情報記録領域のアドレスが格納されている。このような第１ディスク付加情報３８−１の次には同様にして第２ディスク付加情報３８−２・・・第Ｎディスク付加情報３８−Ｎが配置されている。
【００３９】
さて、通常再生時には、図６に示すフローチャートのように先ず、ステップＳ１が実行開始された後にステップＳ２に進んで、現在の再生位置が付加情報再生位置であるか否かが判定され、Ｙｅｓの場合にはステップＳ３に進んで付加情報再生が行われ、Ｎｏの場合にはステップＳ４に進んで、情報入力キーが押下されたか否かが判定され、Ｙｅｓの場合にはステップＳ５に進んで付加情報入力のモードに移行される。また、ステップＳ４でＮｏの場合には、ステップＳ６に進んで通常再生状態が続行された後にステップＳ２に戻されそれ以降のステップが再び実行される。
【００４０】
一方、図７に示すフローチャートのステップＳ７のように付加情報が再生されている状態のときには、次のステップＳ８で付加情報再生が終了位置迄達したか否かが判定され、Ｙｅｓの場合にはステップＳ９に進んで通常再生状態に移行され、Ｎｏの場合にはステップＳ１０に進んで付加情報の再生が続行された後にステップＳ８に戻されそれ以降のステップが再び実行される。
【００４１】
次に、予め記録媒体１に記録されている映像・音声データと同期させたいユーザー作成の任意の付加情報データを記憶部１７に記憶する動作を説明する。
【００４２】
記憶部１７への記憶動作は、記録媒体１を再生中に行われ、信号読出部２によって記録媒体１から読み出されたＭＰＥＧ−ＰＳのデータは、ＤＥＭＵＸ部３に送られ、入力されたＭＰＥＧ−ＰＳデータの有する個々のＰＥＳパケットに含まれるＰＥＳパケットヘッダー部に記録されているストリームＩＤにより、映像データ、音声データ及びサブピクチャデータ等の個々のストリームにデマルチプレクスされる。
【００４３】
このとき、映像データ、音声データ及びサブピクチャデータ等の復号時間及び再生時間を管理するシステムコントローラ１４は、同じく個々のＰＥＳパケットヘッダーに記録されている復号時間情報（ＤＴＳデータ）と再生時間情報（ＰＴＳデータ）を読み出し、さらに符号化時の基準時間が復号器で再現できるように、ＰＥＳパケットの集まりであるパックのパックヘッダーに記録されている符号化時の基準時間情報（ＳＣＲ（Ｓｙｓｔｅｍ　Ｃｌｏｃｋ　Ｒｅｆｅｒｅｎｃｅ）データ）を参照する。
【００４４】
よって、符号化時の基準時間が復号器でも再現できるようにした上で基準時間情報（ＳＴＣ１３から出力される２７ＭＨｚの基準信号）を読み出し、このＳＴＣデータとＰＴＳデータが一致したときにアクセスユニット（映像・音声の再生単位）毎にビデオデコーダ７、オーディオデコーダ８及びサブピクチャデコーダ９のそれぞれから出力されるようにシステムコントローラ１４からデコーダ制御する。
【００４５】
以上のような通常再生状態において、ユーザーは予め記録媒体１に記録されている映像・音声情報と同期して歌詞、字幕等の付加情報データを再生させたい場合には、付加情報データを同期させたいポイントで、情報入力部１５にある多数の情報入力キー（図２に示す操作パネル２０参照）の中の情報入力キー３４を押操作すると、システム制御部１６によって当該押操作が検知され、記録媒体１の再生動作を一時停止するようにシステムコントローラ１４に指示を出し、再生を一時停止して、図８に示すフローチャートのステップＳ１１のように付加情報入力状態にされ、次のステップＳ１２に進んで、システムコントローラ１４が現在再生（一時停止）している映像・音声に対応するＰＴＳデータを取得してシステム制御部１６に通知し、ステップＳ１３に進む。
【００４６】
ステップＳ１３は、付加情報データ入力を実行するもので、具体的には、ユーザーが再生キー２５、停止キー２６、早送りキー２７、巻戻しキー２８及びロータリーエンコーダ３０を操作することによって蛍光表示部２３またはオンスクリーンディスプレイで表示される付加情報の文字を選択して表示させたい文字列を任意に作成するものである。
【００４７】
文字列の作成が終了したら再生キー２５を押操作することによって、その識別がステップＳ１４によって実行され、押操作されていない場合（Ｎｏの場合）にはステップＳ１３に戻され、押操作された場合（Ｙｅｓの場合）にはステップＳ１５に進んで一時停止状態を解除し通常再生状態に戻される。
【００４８】
そして、その文字列の表示を終了させたいポイントに到達したら入力終了キー３５を押操作すると、それがステップＳ１６で判定され、押操作されていない場合（Ｎｏの場合）にはステップＳ１５に戻され、押操作された場合（Ｙｅｓの場合）にはステップＳ１７に進んで再生が一時停止状態にされ、即ち、それを検知したシステム制御部１６は、記録媒体１の再生を一時停止するようにシステムコントローラ１４に指令を出して再生を一時停止した後にステップＳ１８に進む。
【００４９】
ステップＳ１８は、文字列のディスプレイ上での表示位置を変更するか否かを判定するもので、位置キー３１を十字方向のいずれかに押操作することが判定された場合（Ｙｅｓの場合）にはステップＳ２０に進んで所望の位置に文字列を移動させた後にステップＳ１９に進み、入力文字列とその表示位置等に問題が無い場合（Ｎｏの場合）にもステップＳ１９に進む。
【００５０】
ステップＳ１９は、修正キー３２の押操作の有無を判定するもので、Ｙｅｓの場合にはステップＳ２２に進んで通常再生が実行され、Ｎｏの場合にはステップＳ２１に進んで確定キー３３の押操作の有無が判定され、Ｎｏの場合にはステップＳ１９に戻されそれ以降のステップが再び実行され、Ｙｅｓの場合にステップＳ２３に進んで不揮発性メモリ（記憶部１７）に格納した後にステップＳ２４に進んで付加情報の入力操作が全てキャンセルされ通常再生状態に戻される。
【００５１】
即ち、確定キー３３が押操作されたことを検知したシステム制御部１６は、システムコントローラ１４に対して一時停止を解除し、通常再生を再開するように指示を出すと同時に、現在再生（一時停止）している映像・音声に対応するＰＴＳデータをシステム制御部１６に通知するように要求を出す。指示と要求を出されたシステムコントローラ１４は、現在再生（一時停止）している映像・音声に対応するＰＴＳデータをシステム制御部１６に通知すると共に、一時停止状態を解除して通常再生状態に戻す。
【００５２】
システム制御部１６は、その後に今までの一連の過程で得られた文字列データ、文字列表示開始位置に対応するＰＴＳデータ、文字列表示終了位置に対応するＰＴＳデータ及び表示位置データを記憶部１７（不揮発性メモリ）に記憶する。なお、その際、現在使用しているディスクを識別するための情報としてディスクＩＤも同時に記憶される。
【００５３】
記憶部１７を構成する不揮発性メモリの内部には図４に示す不揮発性メモリの記憶領域３６のように、ディスク情報記録領域３６ａと付加情報管理情報記憶領域３６ｂと付加情報記録領域３６ｃが存在している。
【００５４】
システム制御部１６は、先ず付加情報記録領域３６ｃに、ユーザーによって任意に作成された付加情報（文字列）を記録する。次に付加情報管理情報記憶領域３６ｂに、今記憶した付加情報の記憶開始アドレス及び記憶終了アドレス、さらにその付加情報をディスプレイ上に表示開始する表示ＰＴＳデータと表示を終了する表示終了ＰＴＳデータを記憶する。
【００５５】
付加情報が複数存在する場合も同様に記憶され、同一ディスクに関連付けられる付加情報が全て記憶部１７（不揮発性メモリ）に記憶されたら、最後にディスク情報記録領域３６ａに今記憶した付加情報と該当ディスクとを関連付けるために該当ディスクのディスクＩＤと、その該当ディスクに関連付けられた付加情報のうち、最も再生順序が先（ＰＴＳデータが最も早い）の付加情報に対応する付加情報管理情報の先頭アドレスを記憶する。
【００５６】
同時に、付加情報管理情報記憶領域３６ｂ内の次の管理情報記憶領域のアドレスに、次に再生順序が早い（ＰＴＳデータが早い）付加情報に対応する付加情報管理情報記憶領域３６ｂのアドレスを記録する。
【００５７】
以上のように記憶されることにより、ディスクが挿入された時点でディスク情報記録領域３６ａが参照され、挿入されたディスクに関連付けられた付加情報がある場合には、該当ディスクのディスク情報記録領域３６ａ内の該当ディスクの付加情報管理情報記憶領域の先頭アドレスが参照され、ユーザー作成の任意の付加情報を同時再生すべき最初のＰＴＳデータが取得され、このＰＴＳデータと現在システムコントローラ１４が読み出している現在再生中のＰＴＳデータが一致したら、システム制御部１６は、表示制御部１８に対してユーザー作成の任意の付加情報を記憶部から読み出して画面上に表示するように指示を出す。
【００５８】
今まで説明した形態は、ＭＰＥＧ規格で必須のＰＴＳデータに基づいて制御を行っているため、ＭＰＥＧ規格に適合した記録がなされていれば、ビデオＣＤ、ＤＶＤビデオ、ＤＶＤオーディオ、ＤＶＤ−Ｒ、ＤＶＤ−ＲＷ等々のように記録媒体を限定すること無く利用ができる。
【００５９】
また、付加情報は、記録媒体１を再生したときに対応する歌詞、字幕等の文字情報の表示は、固定的な表示には限定されず、文字情報の表示をフェードイン表示またはフェードアウト表示する手段を付加したり、スクロール表示するようにしてもよい。
【００６０】
さらに、付加情報は、文字情報のみならず音声情報であってもよく、付加情報の入力は、任意の文字列を入力したり、同期再生制御装置とは別に設けられた入力機器から任意の文字列を入力したり、複数種の文字情報列の中から任意のものを選択できるようにしてもよいことは勿論である。
【００６１】
【発明の効果】
以上の説明で明らかなように、本発明による情報再生システムにおける付加情報の同期再生制御装置は、歌詞、字幕等の付加情報が記録されていない記録媒体を再生したときであっても、ユーザの任意に予め設定した付加情報を再生することができる。
【００６２】
本来の再生をされる記録済み媒体以外に、付加情報の記録媒体が用意されているために記録済み媒体の記録領域を使用していないのでデータ容量を圧迫することがなく、従来のように本来の再生をされる記録済み媒体の自身に付加情報が格納されていないので本来の再生容量を増大することができ、付加情報の入力はユーザーの好みに応じて全くの任意に行うことができしかもその態様を自由に行うことができる。付加情報入力と付加情報再生は、正規の主再生回路の系統とは別個に設けられるので主再生系統に影響を与え難い。
【００６３】
従って、本発明によれば、映像及び／または音声が記録されている記録媒体を再生するに際して、ユーザーが任意に設定した文字情報等を、当該記録媒体の再生に同期して再現させることができる情報再生システムにおける付加情報の同期再生制御装置を提供することができる。
【図面の簡単な説明】
【図１】本発明の一実施の形態による情報再生システムにおける付加情報の同期再生制御装置のブロック回路図である。
【図２】図１中に示される情報入力部を有する操作パネルの正面図である。
【図３】図１中に示されるＰＳデータのアクセスユニットを説明するための図である。
【図４】図１中に示される記憶部の記憶領域の詳細を示す図である。
【図５】図４中に示されるディスク情報記録領域の詳細を展開して示す図である。
【図６】通常再生時の動作を説明するためのフローチャートである。
【図７】付加情報再生時の動作を説明するためのフローチャートである。
【図８】付加情報入力時の動作を説明するためのフローチャーである。
【符号の説明】
１　記録媒体
２　信号読出部
３　ＤＥＭＵＸ部
４　ビデオバッファ
５　オーディオバッファ
６　サブピクチャバッファ
７　ビデオデコーダ
８　オーディオデコーダ
９　サブピクチャデコーダ
１０　バックエンドプロセッサ
１１　ビデオＤＡＣ
１２　オーディオＤＡＣ
１３　ＳＴＣ
１４　システムコントローラ
１５　情報入力部
１６　システム制御部
１７　記憶部
１８　表示制御部
２０　操作パネル
２０ａ　情報入力部
２１　パワーキー
２２　パワー表示
２３　蛍光表示部
２４　トレイ部
２５　再生キー
２６　停止キー
２７　早送りキー
２８　巻戻しキー
２９　排出キー
３０　ロータリーエンコーダ
３１　位置キー
３２　修正キー
３３　確定キー
３４　情報入力キー
３５　入力終了キー
【図１】
2004079136.tif 000003
【図２】
2004079136.tif 000004
【図３】
2004079136.tif 000005
【図４】
2004079136.tif 000006
【図５】
2004079136.tif 000007
【図６】
2004079136.tif 000008
【図７】
2004079136.tif 000009
【図８】
2004079136.tif 000010